(57)【要約】  換気マスクは、マスク本体と、フレームと、エルボと、を含む。マスク本体は、第１の開口と、少なくとも患者の口及び鼻を囲むように、患者の顔と係合するように構成されたシール部材と、を持つ。フレームは、マスク本体の外側表面に接続されるとともに、第１の開口において前記マスク本体と連結するように構成されたインタフェース部材を持つ。エルボは、気体供給源と接続可能な第１の端部と、フレームのインタフェース部材に固定され、エルボから第１の開口を通じてマスク本体の中に気体のフローを流入可能とする第２の端部と、を持つ。
2016535625.tif 000002
【特許請求の範囲】
【請求項１】
第１の開口と、患者の少なくとも口及び／又は鼻を囲むために前記患者の顔と係合するシール部材と、を持つマスク本体と、
前記マスク本体の外側表面に接続され、前記第１の開口において前記マスク本体と連結するインタフェース部材を持つフレームと、
気体供給源と接続可能な第１の端部と、前記フレームの前記インタフェース部材に固定され、前記エルボから前記第１の開口を通じて前記マスク本体の中に気体のフローを流入可能とする第２の端部と、を持つエルボと、
を有する、換気マスク。
【請求項２】
前記フレームが、前記マスク本体の側壁と連結するとともに、前記側壁の周囲に適合してフィットするベース部材を有する、請求項１記載の換気マスク。
【請求項３】
複数の切れ込みが、前記マスク本体の前記側壁に沿って配置されるとともに、前記フレームの前記ベース部材と連結する、請求項２記載の換気マスク。
【請求項４】
前記フレームが、前記インタフェース部材と前記ベース部材との間に延在する複数のリブ部材を有する、請求項３記載の換気マスク。
【請求項５】
前記マスク本体の前記側壁が、複数の窪み領域を更に有し、前記複数のリブ部材が、前記複数の窪み領域内に堅く圧入するように適合した形状を持つ、請求項４記載の換気マスク。
【請求項６】
前記インタフェース部材が、環状であり、前記エルボが、前記第２の端部の近傍に少なくとも１つのスナップ用突起部を持つ外壁を有し、前記少なくとも１つのスナップ用突起部が、前記インタフェース部材と連結する、請求項１記載の換気マスク。
【請求項７】
前記マスク本体が、前記第１の開口の周囲に配置される溝部を有し、前記インタフェース部材が、前記インタフェース部材を前記マスク本体と連結するとともにシールするために、前記溝部内に圧入されるように構成される突き出たフランジを有する、請求項６記載の換気マスク。
【請求項８】
前記エルボの前記第２の端部が、前記インタフェース部材の前記突き出たフランジに対して前記マスク本体の前記溝部を保持するフランジを持つ、請求項７記載の換気マスク。
【請求項９】
前記少なくとも１つのスナップ用突起部が、前記エルボの前記外壁の周縁に沿って互いに等間隔を空けている複数のスナップ用突起部を有する、請求項６記載の換気マスク。
【請求項１０】
前記患者の上に前記換気マスクの位置を固定するために、前記患者の額と係合するパッド部材と、
前記フレームに前記パッド部材を接続するアーム部材と、
を更に有する、請求項１記載の換気マスク。
【請求項１１】
前記パッド部材が前記額に固定されたまま、少なくとも前記口及び鼻を露出するため、前記マスク本体及び前記フレームが前記患者の顔から離れる方向へ動かされることができるように、前記パッド部材を前記アーム部材に接続するヒンジを更に有する、請求項１０記載の換気マスク。
【請求項１２】
前記エルボが、取り込みエルボである、請求項１記載の換気マスク。
【請求項１３】
前記エルボが、取り込み−放出エルボである、請求項１記載の換気マスク。
【請求項１４】
前記マスク本体及び前記フレームが、シリコーンを含む、請求項１記載の換気マスク。
【請求項１５】
第１の開口を有するとともに、少なくとも患者の口及び／又は鼻を囲むために、前記患者の顔と係合するマスク本体と、
前記マスク本体の外側表面に接続されるとともに、前記マスク本体を堅く支持するフレームと、
気体供給源と接続可能な第１の端部と、前記フレームの前記インタフェース部材に固定され、前記エルボから前記第１の開口を通じて前記マスク本体の中に気体のフローを流入可能とする第２の端部と、を持つエルボと、
を有し、
前記フレームが、
前記第１の開口において前記マスク本体と連結するインタフェース部材と、
前記マスク本体の側壁の周囲に連結するとともに、適合してフィットするベース部材と、
前記インタフェース部材と前記ベース部材との間に延在する複数のリブ部材と、
を有する、換気マスク。
【請求項１６】
前記マスク本体の前記側壁が、複数の窪み領域を有し、前記複数のリブ部材が、前記複数の窪み領域内に堅く圧入するように適合した形状を持つ、請求項１５記載の換気マスク。
【請求項１７】
複数の切れ込みが、前記マスク本体の前記側壁に沿って配置されるとともに、前記複数の切れ込みが、前記フレームの前記ベース部材と連結する、請求項１５記載の換気マスク。
【請求項１８】
前記エルボが、外壁の周縁に沿って互いに等間隔を空けている複数のスナップ用突起部を持つ前記外壁を有し、前記複数のスナップ用突起部が、前記インタフェース部材と連結する、請求項１５記載の換気マスク。
【請求項１９】
前記マスク本体が、前記第１の開口の周囲に配置される溝部を有し、前記インタフェース部材が、前記インタフェース部材を前記マスク本体と連結するとともにシールするために、前記溝部内に圧入されるように構成される突き出たフランジを有する、請求項１５記載の換気マスク。
【請求項２０】
前記患者の上に前記換気マスクの位置を固定するために、前記患者の額と係合するパッド部材と、
第１の端部と前記第１の端部とは反対側の第２の端部とを持ち、前記第１の端部が前記フレームの前記ベース部材に接続されるアーム部材と、
前記パッド部材が前記額に固定されたまま、少なくとも前記口及び鼻を露出するため、前記マスク本体及び前記フレームが前記患者の顔から離れる方向へ動かされることができるように、前記パッド部材を前記アーム部材の前記第２の端部に接続するヒンジと、
を更に有する、請求項１５記載の換気マスク。
【請求項２１】
第１の開口を持つマスク本体と、インタフェース部材を持つフレームと、エルボと、を有する換気マスクを組み立てる方法であって、前記方法は、
前記インタフェース部材が前記第１の開口において前記マスク本体と連結するように、前記フレームを前記マスク本体の外側表面に接続するステップと、
前記第１の開口及び前記インタフェース部材を通じて、前記エルボの第１の端部を前記マスク本体の内側から引っ張るステップと、
前記エルボの第２の端部を前記インタフェース部材に固定するステップと、
を有する、方法。
【請求項２２】
前記マスク本体が、前記第１の開口の周囲に配置された溝部を有し、前記インタフェース部材が、突き出たフランジを有し、
前記接続するステップが、前記インタフェース部材を前記マスク本体と連結するとともにシールするために、前記溝部内に前記突き出たフランジを圧入するステップを有する、請求項２１記載の方法。
【請求項２３】
前記エルボの前記第２の端部が、フランジを持ち、
前記固定するステップが、前記フランジを具備する前記インタフェース部材の前記突き出たフランジに対して前記溝部を保持するステップを有する、請求項２２記載の方法。
【請求項２４】
前記フレームが、ベース部材を有し、複数の切れ込みが、前記マスク本体の側壁に沿って配置され、
前記接続するステップが、前記ベース部材を前記複数の切れ込みと連結するステップを有する、請求項２１記載の方法。
【請求項２５】
前記エルボが、前記第２の端部の近傍の前記外壁の周縁に沿って互いに等間隔を空けた複数のスナップ用突起部を有し、
前記固定するステップが、前記複数のスナップ用突起部を前記インタフェース部材と連結するステップを有する、請求項２１記載の方法。
【発明の詳細な説明】
【技術分野】
【０００１】
本発明は、概して、持続的気道陽圧法（ＣＰＡＰ：continuous positive airway pressure）又は非侵襲的換気（ＮＩＶ：non-invasive ventilation）患者インタフェースマスクに関する。より具体的には、ここで開示される様々な本発明の装置及び組立方法は、回路接続エルボが、マスク本体の内側からマスク本体の外側表面に接続されるフレームのインタフェース部材に取付けられる、換気マスク及び換気マスクの組立方法に関する。
【背景技術】
【０００２】
既存の換気マスク設計は、換気マスクの外側に呼吸回路を取り付けるため、接続エルボ、又は、スイベルアダプタなどの他の回転式接続部を用いる。接続エルボの換気マスクへの取り付けは、スナップ接続、又は、スナップリングなどの別個のコンポーネントによって達成され得る。例えば、既存の換気マスクは、換気マスクの本体においてハブを具備するテーパ状の接続を持つ接続エルボを含んでいてもよく、ここで、接続エルボは、換気マスクの外側からハブの中に挿入されている。他の既存の換気マスクは、Ｃ−クリップによって換気マスクの外側から換気マスクの内側に取り付けられて組み立てられる接続エルボを含み得る。更に他の既存の換気マスクは、押しボタンリリースを有する、又は、有さない、スナップを用いて、換気マスクの外側で組み立てられる接続エルボを含み得る。
【発明の概要】
【発明が解決しようとする課題】
【０００３】
しかしながら、大きなトルクが、上述したような既存の換気マスクの接続エルボに付与された場合、接続エルボは、換気マスクから外れ、呼吸回路と換気マスクとの間の接続が結果的に断たれ、治療が全て無駄になる可能性がある。また、換気マスクの内側の空気圧が増大するため、接続エルボが、換気マスクから押し出され、僅かな漏れを引き起こし得る。
【０００４】
そこで、呼吸回路と換気マスクとの間の接続断を防ぐとともに、エルボ接続における換気マスクからの僅かな漏れの発生を防ぐ、換気マスク及び換気マスクの組立方法を供給することが望ましい。
【課題を解決するための手段】
【０００５】
本開示は、換気マスク及び換気マスクの組立方法に関する。
【０００６】
概して、ある態様では、換気マスクは、第１の開口と、患者の少なくとも口及び／又は鼻を囲むために患者の顔と係合するように構成されたシール部材と、を持つマスク本体と、マスク本体の外側表面に接続され、第１の開口においてマスク本体と連結するように構成されたインタフェース部材を持つフレームと、気体供給源と接続可能な第１の端部と、フレームのインタフェース部材に固定され、エルボから第１の開口を通じてマスク本体の中に気体のフローを流入可能とする第２の端部と、を持つエルボと、を含む。
【０００７】
１又は複数の実施形態において、フレームは、マスク本体の側壁の周囲と連結し、適合してフィットするように構成されたベース部材を含んでいてもよい。
【０００８】
１又は複数の実施形態において、複数の切れ込みが、マスク本体の側壁の周囲に配置されてもよく、複数の切れ込みが、フレームのベース部材と連結するように構成されてもよい。
【０００９】
１又は複数の実施形態において、フレームは、インタフェース部材とベース部材との間に延在する複数のリブ部材を含んでいてもよい。
【００１０】
これらの実施形態の１又は複数のバージョンにおいて、マスク本体の側壁は、複数の窪み領域を更に含んでいてもよく、複数の窪み領域は、複数の窪み領域内に堅く圧入するように適合した形状を持つように構成されてもよい。
【００１１】
これらの実施形態の１又は複数のバージョンにおいて、インタフェース部材は、環状であってもよく、エルボは、第２の端部の近郊に少なくとも１つのスナップ用突起部を持つ外壁を含んでいてもよく、少なくとも１つのスナップ用突起部は、インタフェース部材と連結するように構成される。
【００１２】
これらの実施形態の１又は複数のバージョンにおいて、マスク本体は、第１の開口の周辺に配置された溝部を含んでいてもよく、インタフェース部材は、インタフェース部材をマスク本体と連結しシールするため、溝部内に圧入されるように構成された突き出たフランジを含んでいてもよい。
【００１３】
１又は複数の実施形態において、エルボの第２の端部は、インタフェース部材の突き出たフランジに対してマスク本体の溝部を保持するように構成されたフランジを持っていてもよい。
【００１４】
１又は複数の実施形態において、少なくとも１つのスナップ用突起部は、エルボの外壁の周縁に沿って互いに等間隔を空けられた複数のスナップ用突起部を含んでいてもよい。
【００１５】
１又は複数の実施形態において、換気マスクは、患者の上に換気マスクの位置を固定するため、患者の額と係合するように構成されたパッド部材と、パッド部材をフレームに接続するアーム部材と、を更に含んでいてもよい。
【００１６】
１又は複数の実施形態において、換気マスクは、パッド部材が額に固定されたまま、少なくとも口及び鼻を露出するため、マスク本体及びフレームが患者の顔から離れる方向へ動かされることができるように、パッド部材をアーム部材に接続するヒンジを更に含んでいてもよい。
【００１７】
１又は複数の実施形態において、エルボは、取り込みエルボであってもよい。
【００１８】
１又は複数の実施形態において、エルボは、取り込み−放出エルボであってもよい。
【００１９】
１又は複数の実施形態において、マスク本体及びフレームは、シリコーンでできていてもよい。
【００２０】
他の態様では、換気マスクは、第１の開口を有するとともに、少なくとも患者の口及び／又は鼻を囲むために、患者の顔と係合するマスク本体と、マスク本体の外側表面に接続されるとともに、マスク本体を堅く支持するフレームと、気体供給源と接続可能な第１の端部と、フレームのインタフェース部材に固定され、エルボから第１の開口を通じてマスク本体の中に気体のフローを流入可能とする第２の端部と、を持つエルボと、を含んでいてもよく、フレームが、第１の開口においてマスク本体と連結するインタフェース部材と、マスク本体の側壁の周囲に連結するとともに、適合してフィットするベース部材と、インタフェース部材とベース部材との間に延在する複数のリブ部材と、を含んでいてもよい。
【００２１】
１又は複数の実施形態において、マスク本体の側壁は、複数の窪み領域を含んでいてもよく、複数のリブ部材は、複数の窪み領域内に堅く圧入するように適合した形状を持つように構成される。
【００２２】
１又は複数の実施形態において、エルボは、外壁の周縁に沿って互いに等間隔を空けた複数のスナップ用突起部を持つ外壁を含んでいてもよく、複数のスナップ用突起部は、インタフェース部材と連結するように構成される。
【００２３】
１又は複数の実施形態において、マスク本体は、第１の開口の周囲に配置された溝部を含んでいてもよく、インタフェース部材は、インタフェース部材をマスク本体と連結し、シールするため、溝部内に圧入されるように構成される突き出たフランジを含んでいてもよい。
【００２４】
これらの実施形態の１又は複数のバージョンにおいて、換気マスクは、患者の上に換気マスクの位置を固定するために、患者の額と係合するパッド部材と、第１の端部と第１の端部とは反対側の第２の端部とを持ち、第１の端部がフレームのベース部材に接続されるアーム部材と、パッド部材が額に固定されたまま、少なくとも口及び鼻を露出するため、マスク本体及びフレームが患者の顔から離れる方向へ動かされることができるように、パッド部材をアーム部材の第２の端部に接続するヒンジと、を更に含んでいてもよい。
【００２５】
他の態様では、換気マスクを組み立てる方法は、第１の開口を持つマスク本体と、インタフェース部材を持つフレームと、エルボと、を有する換気マスクを組み立てる方法であって、インタフェース部材が第１の開口においてマスク本体と連結するように、フレームをマスク本体の外側表面に接続するステップと、第１の開口及びインタフェース部材を通じて、エルボの第１の端部をマスク本体の内側から引っ張るステップと、エルボの第２の端部をインタフェース部材に固定するステップと、を含む。
【００２６】
１又は複数の実施形態において、マスク本体は、第１の開口の周囲に配置された溝部を含んでいてもよく、インタフェース部材は、突き出たフランジを含んでいてもよく、接続するステップが、インタフェース部材をマスク本体と連結するとともにシールするために、溝部内に突き出たフランジを圧入するステップを含む。
【００２７】
１又は複数の実施形態において、エルボの第２の端部は、フランジを持っていてもよく、ここで、固定するステップは、フランジを具備するインタフェース部材の突き出たフランジに対して溝部を保持するステップを含む。
【００２８】
１又は複数の実施形態において、フレームは、ベース部材を含んでいてもよく、複数の切れ込みが、マスク本体の側壁に沿って配置され、接続するステップが、ベース部材を複数の切れ込みと連結するステップを含む。
【００２９】
１又は複数の実施形態において、エルボは、第２の端部の近傍の外壁の周縁に沿って互いに等間隔を空けた複数のスナップ用突起部を含んでいてもよく、固定するステップは、複数のスナップ用突起部をインタフェース部材と連結するステップを含む。
【００３０】
当然のことながら、以下でより詳細に議論される上述の概念及び追加的な概念の全ての組み合わせ（かかる概念は、相互に矛盾しない）が、ここに開示される本発明の要旨の一部として考えられている。特に、本開示の最後に添付される請求項の全ての組み合わせが、ここに開示される本発明の要旨の一部として考えられている。また、当然のことながら、参照により本開示に組み込まれ得る、ここで明示的に採用される専門用語は、ここに開示される特定の概念に最も合う意味と一致すべきである。
【図面の簡単な説明】
【００３１】
図中、同様の参照符号は、一般的に、異なる図を通して、同一の部品を表す。また、図は、必ずしも原寸通りではなく、本発明の原理を図示する上で、強調されている場合がある。
【図１】図１は、例示的な実施形態のマスク本体、フレーム、及び、エルボを含んだ、組み立てられた換気マスクの正面斜視図を図示している。
【図２】図２は、換気マスクの組み立て前の、例示的な実施形態のフレームの正面斜視図を図示している。
【図３】図３は、換気マスクの組み立て前の、例示的な実施形態のマスク本体の左側面斜視図を図示している。
【図４】図４は、マスク本体と連結されたフレームのインタフェース部材と、フレームのインタフェース部材に固定されたエルボと、を含んだ、例示的な実施形態の組み立てられた換気マスクの部分断面図を図示している。
【図５Ａ】図５Ａは、フランジを含む例示的な実施形態のエルボの正面斜視図を図示している。
【図５Ｂ】図５Ｂは、フランジを含む例示的な実施形態のエルボの右側面斜視図を図示している。
【図６Ａ】図６Ａは、フランジを有さない例示的な実施形態のエルボの正面斜視図を図示している。
【図６Ｂ】図６Ｂは、フランジを有さない例示的な実施形態のエルボの右側面斜視図を図示している。
【図７】図７は、例示的な実施形態の取り込みエルボの左側面斜視図を図示している。
【図８】図８は、例示的な実施形態の取り込み−放出エルボの左側面斜視図を図示している。
【発明を実施するための形態】
【００３２】
以下の詳細な説明では、限定ではなく説明のため、特定の詳細を開示している代表的な実施形態が、本発明の教示の深い理解を供給するために、説明されている。しかしながら、ここで開示される特定の詳細から逸脱するが、添付の請求項の範囲内である本発明の教示に従った他の実施形態が、本開示の利点を有することは、当該技術分野における当業者にとって明らかであろう。さらに、よく知られている装置及び方法の説明は、代表的な実施形態の説明を阻害しないように、省略され得る。かかる方法及び装置は、明確に、本教示の範囲内である。
【００３３】
上記に鑑みて、本発明の様々な実施形態及び実装例が、換気マスク及び換気マスクの組立方法を対象にしている。
【００３４】
図１は、例示的な実施形態のマスク本体１００と、フレーム２００と、エルボ３００とを含む組み立てられた換気マスク１０の正面斜視図を図示している。図２は、換気マスク１０の組み立て前のフレーム２００の正面斜視図を図示している。図３は、換気マスク１０の組み立て前のマスク本体１００の左側面斜視図を図示している。
【００３５】
図１及び図３に示されているように、マスク本体１００は、一般的に、少なくとも患者の口及び／又は鼻を囲むために患者の顔に密封的に係合するためのシール部材１１０と、側壁１２０と、図３に示される、対応する切れ込み又は溝セクション１４４，１４６，１４８を形成するために、側壁１２０から外側へ突き出ている突出セクション１２４，１２６，１２８と、を含んでいてもよい。また、追加的な切れ込み（図示省略）が、図１に示されるマスク本体１００の右側面近傍の側壁１２０の１つから外側へ突き出ている突出セクション１２２に対して、形成される。さらに、マスク本体１００は、気体の受け入れのための第１の開口（図４に示されている）を含んでいてもよい。マスク本体１００は、
シリコーンなどの幾分しなやかで柔軟な材料であってもよく、全体的又は部分的に、透明、色付き、又は、わずかに不透明であってもよい。
【００３６】
図１及び図２に示されるように、フレーム２００は、一般的に、環状であり得るインタフェース部材２２０と、ベース部材２１０と、複数のリブ部材２１２，２１４，２１６，２１８と、を含んでいてもよい。リブ部材２１２，２１４，２１６，２１８は、インタフェース部材２２０とベース部材２１０との間に延在している。また、リブ部材２１２，２１４，２１６，２１８は、インタフェース部材２２０からベース部材２１０へ外側へ放射状に延在していてもよい。さらに、フレーム２００は、ベース部材２１０及びリブ部材２１２から延在している下部ヘッドギア接続点２５２と、ベース部材２１０及びリブ部材２１８から延在している下部ヘッドギア接続点２５４と、を含む。下部ヘッドギア接続点２５２，２５４の組は、患者の額又は首に組み立て済みの換気マスク１０を固定するため、ベルクロ（登録商標）によりフィットされる、１つのストラップ、又は、複数のストラップ（図示省略）、あるいは、そこを通る他のフックループタイプのアタッチメントと接続し得る。他の例示的な実施形態では、インタフェース部材２２０は、リブ部材２１２，２１４，２１６，２１８によって接続される代わりに、ベース部材２１０と直接的に接続されてもよい。これにより、リブ部材間の空間又は窓が排除され得る。
【００３７】
また、フレーム２００は、一般的に、水平方向に延在するとともに、両側に上部ヘッドギア接続点２４２，２４４を含むパッド部材２４０を含んでいてもよい。なお、上部ヘッドギア接続点２４２，２４４も、ベルクロによりフィットされる、１つのストラップ、又は、複数のストラップ（図示省略）、あるいは、そこを通る他のフックループタイプのアタッチメントと接続し得る。パッド部材２４０は、患者の額と係合する下側に当てられる発泡体を含んでいてもよい。パッド部材２４０は、適所に堅く締められた場合に、患者の上に組み立て済みの換気マスク１０の位置を固定し得る。フレーム２００のアーム部材２３０は、第１の端部２３２と、反対側の第２の端部２３４と、を持つ。第１の端部２３２は、ベース部材２１０に接続され、第２の端部２３４は、ヒンジ２３６を介して、パッド部材２４０に接続される。下部ヘッドギア接続点２５２，２５４に接続されたストラップ（図示省略）を緩めることによって、アーム部材２３０は、ヒンジ２３６周りに、パッド部材２４０に対して旋回されることができ、結果、マスク本体１００及び組み立て済み換気マスク１０のフレーム２００の対応する部分は、パッド部材２４０が患者の額に固定されたまま、少なくとも患者の口及び鼻を露出させるため、患者の顔から離れる方向へ移動されることができる。このため、患者は、患者から換気マスク１０を完全に取り外すことなく、口腔治療、食料又は飲料を供給されることができる。
【００３８】
フレーム２００は、一般的に、シリコーンなどの幾分硬くて柔軟性のない材料、又は、ポリプロピレンなどのプラスチックであってもよい。図１に更に示されるように、組み立て済み換気マスク１０のフレーム２００は、マスク本体１００の外側表面に接続され、マスク本体１００をしっかりと支持している。ベース部材２１０は、マスク本体１００の上部における側壁１２０の形状と合う形状、並びに、組み立て済み換気マスク１０の切れ込み１４４，１４６，１４８及び追加的な切れ込み（図示省略）内にしっかりとフィットするような厚みを持つように構成される。
【００３９】
また、図１に示されるように、エルボ３００は、ベンチレータ、ブロワー、又は、ＣＰＡＰ機器（図示省略）から呼吸可能気体を受けるため、柔軟な配管又は導管（図示省略）にぴったりと接続され得る第１の端部３１０を持つ。また、エルボ３００は、第２の端部３２０を持つ。エルボ３００の第２の端部３２０における円筒形状の外壁は、図１及び図５Ａに示されるように、円筒形状の外壁の周縁に沿って互いに等間隔を空けた複数のスナップ用突起部３０２，３０４，３０６を含んでいてもよい。スナップ用突起部３０２，３０４，３０６は、ベンチレータから供給される呼吸可能気体のフローを、柔軟な配管、エルボ３００、及び、第１の開口１３０を通じてマスク本体１００内に流入させることを可能とするため、組み立て済み換気マスク１０のインタフェース部材２２０と連結するように構成される。エルボ３００は、ポリプロピレン又はポリカーボネートなどの硬いプラスチック材料でできていてもよい。
【００４０】
また、図３に示されるように、マスク本体の側壁１２０は、窪み領域１１６，１１８などの複数の窪み領域を含んでいてもよい。窪み領域１１６，１１８は、各リブ部材２１６，２１８が、組み立て済み換気マスク１０のマスク本体１００とフレーム２００との間に更なる接続を供給するために、窪み領域１１６，１１８内に堅く圧入されるように、適合形状を持つように構成されてもよい。図示されていないが、窪み領域１１６，１１８などの窪み領域は、リブ部材２１２，２１４を受けるため、側壁１２０において形成されてもよい。
【００４１】
図４は、マスク本体１００と連結したフレーム２００のインタフェース部材２２０と、フレーム２００のインタフェース部材２２０にしっかりと固定されたエルボ３００と、を含む組み立て済み換気マスク１０の部分的断面図を図示している。図示されるように、マスク本体１００は、略円形状であり得る第１の開口１３０と、第１の開口１３０の全周に配置され得る溝部１３２と、を含む。フレーム２００のインタフェース部材２２０は、図４に示されるように、外側エッジから上方に延在している突き出たフランジ２２２を含んでいてもよい。これにより、フランジ２２２は、実質的にＬ字型の断面を持つように特徴付けられ得る。突き出たフランジ２２２は、マスク本体１００の溝部１３２内に圧入されるための形状及び寸法を持ち、インタフェース部材２２０を組み立て済み換気マスク１０のマスク本体１００と連結してシールするように構成される。また、シリコーンなどの幾分しなやかな材料であり得る気泡１３４が、第１の開口１３０の全周において、溝部１３２の内壁上に形成され得る。突き出たフランジ２２２が、溝部１３２の中に圧入されるため、気泡１３４は、圧縮され、組み立て済み換気マスク１０のインタフェース部材２２０とマスク本体１００との間にＯリングタイプのシールを供給する。
【００４２】
図４に更に示されるように、エルボ３００の第２の端部３２０におけるスナップ用突起部３０２は、組み立て済み換気マスク１０のインタフェース部材２２０と連結されている。つまり、インタフェース部材２２０は、第２の端部３２０の近傍で、スナップ用突起部３０２とベース３１２との間に連結され、固定されている。図４には図示されていないが、エルボ３００のスナップ用突起部３０４，３０６も、インタフェース部材２２０と連結されている。さらに、エルボ３００は、第２の端部３２０の近傍のベース１１２において、外壁から上方且つ外側に放射状に延在しているフランジ３０８を含んでいてもよい。突き出たフランジ２２２及び溝部１３２を一緒に更に固定及びシールするため、フランジ３０８は、一旦、スナップ用突起部３０２，３０４，３０６が、適所において、組み立て済み換気マスク１０のインタフェース部材２２０と連結された場合、インタフェース部材２２０の突き出たフランジ２２２に対して、マスク本体１００の溝部１３２を保持するとともに、押し付けるように構成され得る。
【００４３】
図５Ａ及び図５Ｂは、第１及び第２の端部３１０，３２０と、フランジ３０８と、ベース３１２と、第２の端部３２０の近傍の円筒形状の外壁の周縁に沿って互いに等間隔を空けて配置されたスナップ用突起部３０２，３０４，３０６と、を含むエルボ３００の正面斜視図及び右側面斜視図をそれぞれ図示している。３つのスナップ用突起部３０２，３０４，３０６が示されているが、他の実施形態では、エルボ３００は、円筒形状の外壁の周縁に沿って互いに様々な円周長で間隔を空けて配置された任意の数のスナップ用突起部を含んでいてもよい。他の実施形態では、単一の連続的なスナップ用突起部が、円筒形状の外壁の全周まわりに配置されてもよい。
【００４４】
図６Ａ及び図６Ｂは、他の例示的な実施形態に従った、エルボフランジを有さないエルボ４００の正面斜視図及び右側面斜視図をそれぞれ図示している。図示されるエルボ４００は、第１及び第２の端部４１０，４２０と、ベース４１２と、第２の端部４２０の近傍の円筒形状の外壁の周縁に沿って互いに等間隔を空けて配置されたスナップ用突起部４０２，４０４，４０６と、を含む。３つのスナップ用突起部４０２，４０４，４０６が示されているが、他の実施形態では、エルボ４００は、円筒形状の外壁の周縁に沿って互いに様々な円周長で間隔を空けて配置された任意の数のスナップ用突起部を含んでいてもよい。他の実施形態では、単一の連続的なスナップ用突起部が、円筒形状の外壁の全周まわりに配置されてもよい。図４に示されるように、エルボ３００の代わりに、組み立て済み換気マスク１０においてエルボ４００が用いられる他の実施形態では、突き出たフランジ２２２が、エルボフランジによってともに追加的に保持されることなく、インタフェース部材２２０を組み立て済み換気マスク１０のマスク本体１００と連結及びシールするために、溝部１３２の中に圧入される。
【００４５】
図７は、例示的な実施形態の取り込みエルボ５００の左側面斜視図を図示している。図示されている取り込みエルボ５００は、第１及び第２の端部５１０，５２０と、スナップ用突起部５０４，５０６と、図５Ａ及び図５Ｂに示されるスナップ用突起部３０２などの少なくとも１つの追加的なスナップ用突起部（図示省略）と、フランジ５０８と、ベース５１２と、取り込みバルブ開口５３０と、取り込みバルブフラッパ５４０と、を含む。安全対策として、ベンチレータ、ブロワー、又は、ＣＰＡＰ機器（図示省略）が、故障したか、電力が断たれた場合、取り込みバルブフラッパ５４０は、大気中に取り込みバルブ開口５３０を解放及び開放し、患者が呼吸できるようにする。取り込みエルボ５００は、例えば、図１及び図４に示されるエルボ３００の代わりに、組み立て済み換気マスク１０において用いられてもよく、更に他の実施形態では、フランジ５０８を有する、又は、有さない、任意の数のスナップ用突起部を備えていてもよい。
【００４６】
図８は、例示的な実施形態の取り込み−放出エルボ６００の左側面斜視図を図示している。図示されている取り込み−放出エルボ６００は、第１及び第２の端部６１０，６２０と、スナップ用突起部６０４，６０６と、図５Ａ及び図５Ｂに示されるスナップ用突起部３０２などの少なくとも１つの追加的なスナップ用突起部（図示省略）と、フランジ６０８と、ベース６１２と、取り込みバルブ開口６３０と、取り込みバルブフラッパ６４０と、キャップ６５０と、排気口６６０と、を含む。図７について説明されたように、安全対策として、取り込みバルブフラッパ６４０は、大気中に取り込みバルブ開口６３０を解放及び開放し、ベンチレータ、ブロワー、又は、ＣＰＡＰ機器（図示省略）が、故障したか、電力が断たれた場合に、患者が呼吸できるようにする。さらに、キャップ６５０は、組み立て済み換気マスク１０の内側の圧力を測定する目的のために柔軟な配管（図示省略）の接続を可能にする近接した圧力ピックオフポートのためのキャップである。柔軟な配管の他端は、ベンチレータ又は圧力監視装置（図示省略）に接続され得る。また、排気口６６０は、取り込み−放出エルボ６００から吐き出された二酸化炭素を排出する。取り込み−放出エルボ６００は、例えば、図１及び図４に示されるエルボ３００の代わりに、組み立て済み換気マスク１０において用いられてもよく、他の例示的な実施形態では、フランジ６０８を有する、又は、有さない、任意の数のスナップ用突起部を備えていてもよい。
【００４７】
換気マスク１０を組み立てる方法が、図１乃至図４を参照して、説明される。換気マスク１０は、マスク本体１００と、フレーム２００と、エルボ３００と、を含む別個のコンポーネントから組み立てられるものと考えられる。前述のように、マスク本体１００は、容易に曲げることができ、操られることができる、幾分しなやかで柔軟な材料でできていてもよい。一方、フレーム２００は、幾分堅く、柔軟でない材料でできていてもよい。
【００４８】
まず、呼吸回路の柔軟な配管又は導管から取り外されたエルボ３００が、第１の開口１３０を通じて、マスク本体１００の内部に挿入され、配置され得る。次いで、フレーム２００が、ベース部材２１０の対応する部分を切れ込み又は溝部１４４，１４６，１４８及び任意の追加的な切れ込み内に挿入することによって、マスク本体１００の外側表面に接続され得る。突き出たフランジ２２２が、マスク本体１００の第１の開口１３０の周囲に配置される溝部１３２内に圧入され、これにより、インタフェース部材２２０が、マスク本体１００と連結及びシールされ、気泡１３４が圧縮される。リブ部材２１２，２１４，２１６，２１８が、図３に示される窪み領域１１６，１１８などの対応する窪み領域内にしっかりと圧入され得る。その後、取り外された状態で、マスク本体１００の内部に事前に配置されたエルボ３００の第１の端部３１０が、インタフェース部材２２０によって形成された開口を通じて把持され、エルボ３００が、図４に示される矢印Ａの方向において、マスク本体１００の内側から外側へ引っ張られる。インタフェース部材２２０は、エルボ３００がマスク本体１００から引っ張られるため、エルボ３００の外壁に沿ってスライドし、次いで、スナップ用突起部３０２，３０４，３０６の上をスライドし、スナップ用突起部３０２，３０４，３０６とベース３１２との間の空間にスライドし得る。この位置において、インタフェース部材は、スナップ用突起部３０２，３０４，３０６と連結され得る。また、エルボ３００の第２の端部３２０におけるフランジ３０８は、マスク本体１００の溝部１３２を突き出たフランジ２２２に対して保持し、インタフェース部材２２０とマスク本体１００とを更にシールする。
【００４９】
この例示的な実施形態によれば、換気マスク１０が、インタフェース部材２２０と完全に連結するために、エルボ３００をマスク本体１００の内側から引っ張る、又は、操作することによって、組み立てられることができるため、換気マスク１０の動作中にマスク本体１００の内部で作られる治療のための圧力が、エルボ３００及びマスク本体１００をしっかりとシールする。さらに、エルボ３００が、マスク本体１００の材料などのよりしなやかな材料に直接的に連結される代わりに、幾分堅く、柔軟でない材料であるインタフェース部材２２０と連結されるため、エルボ３００は、換気マスク１０に対して、よりしっかりと固定され得る。このため、換気マスク１０の動作中における治療のための圧力によってエルボ３００が外側へ押し出されることによって、引き起こされ得る、エルボ３００の外れ、及び、換気マスク１０からの僅かな漏れを防止することができる。
【００５０】
本明細書では多様な実施形態が記載及び図示されたが、当業者は、本明細書に説明される機能を実行するための、並びに／又は本明細書に説明される結果及び／若しくは１つ以上の利点を得るための他の多様な手段及び／若しくは構造を容易に想像し、かかる変形例及び／又は改変例は、本明細書で説明される発明の実施形態の範囲内に含まれると見なされる。より一般的には、当業者は、本明細書に説明される全てのパラメータ、寸法、材料、及び構成の全ては例であり、実際のパラメータ、寸法、材料、及び／又は構成は、本発明の教示が使用される具体的な用途に依存することを容易に理解するであろう。当業者は、通常の実験より多くを要することなく、本明細書に説明される本発明の具体的な実施形態の多数の均等物を認識又は確認することができるであろう。よって、上記の実施形態はあくまで例として提示され、本発明の実施形態は、特許請求の範囲及び均等物の範囲内において、具体的に説明及び請求されたものとは異なる態様又は方法で実施することができる。本開示の発明の実施形態は、本明細書に説明される個々の特徴、システム、物品、材料、キット（道具）、及び／又は方法に向けられる。また、かかる特徴、システム、物品、材料、キット、及び／又は方法が互いに矛盾しない場合、かかる特徴、システム、物品、材料、キット、及び／又は方法のうちの２つ以上の任意の組み合わせは本開示の発明の範囲内に含まれる。
【００５１】
例えば、組み立て済み換気マスク１０は、患者の口と鼻との両方を囲むためのサイズ及び形状を持つように構成されてもよい。他の例示的な実施形態では、換気マスク１０は、患者の口のみ、又は、患者の鼻のみを囲むためのサイズ及び形状を持つように構成されてもよい。
【００５２】
ここで定義及び使用される全ての定義は、辞書の定義、参照により組み込まれる文書中の定義、及び／又は、定義された用語の通常の意味を超えて照合されるものと理解されるべきである。
【００５３】
明細書及び請求項において用いられる単数形は、反対の意味で明確に示されなければ、「少なくとも１つ」の意味であるものと理解されるべきである。
【００５４】
本明細書及び特許請求の範囲において使用される語句"及び／又は"は、そのように結合された複数の要素の"いずれか又は両方"、すなわち、あるいくつかの場合には接続的に存在し、他の場合には分離的に存在する複数の要素を意味すると理解されるべきである。"及び／又は"と共に記載されている複数の要素は、同じ様式で、すなわち、そのように結合された複数の要素のうちの"一つ又はそれ以上"と解釈されるべきである。他の複数の要素は、任意的に、「及び／又は」節によって具体的に特定された複数の要素以外に存在してもよく、それら具体的に特定された複数の要素と関連していても関連していなくてもよい。このため、非限定的な例として、「Ａ及び／又はＢ」なる表現は、「有する」などのオープンエンド型文言と一緒に使用される場合、ある実施形態においては、Ａのみ（オプションでＢ以外の要素を含む）、他の実施形態においては、Ｂのみ（オプションでＡ以外の要素を含む）、更に他の実施形態においては、ＡとＢとの両方（オプションで他の要素を含む）などを表すことができる。
【００５５】
本明細書及び特許請求の範囲において使用される"又は"は、上述の"及び／又は"と同じ意味を有するものと理解されるべきである。例えば、あるリスト内の複数の項目を分離させた場合に、"又は"又は"及び／又は"は包括的である、すなわち、数又は複数の要素のリストのうちの少なくとも一つ（ただし一つよりも多くも含む）を含み、そして任意的に、追加的なリストにない複数の項目を含むものと解釈されるものとする。明確に反対の指示をする用語、例えば"一つのみ"又は"厳密に一つの"又は特許請求の範囲において使用される場合の"から成る"のみが、数又は複数の要素のリストのうちの厳密に１の要素を含むことを参照することができる。概して、本明細書において使用される"又は"は、例えば"のいずれか""のうちの一方""の一つのみ"又は"厳密に一つの"を伴う場合にのみ、排他的な代替手段（すなわち"一方又は他方であり、両方ではない"）を示すと解釈されるものとする。「本質的に〜からなる」という表現は、請求項において使用される場合、特許法の分野において用いられるような通常の意味を持つべきである。
【００５６】
本明細書及び特許請求の範囲に用いられるように、１つ以上の要素を含むリストを参照した際の「少なくとも１つ」との表現は、要素のリストにおける任意の１つ以上の要素から選択された少なくとも１つの要素を意味すると理解すべきであるが、要素のリストに具体的に列挙された各要素の少なくとも１つを必ずしも含むわけではなく、要素のリストにおける要素の任意の組み合わせを排除するものではない。この定義は、「少なくとも１つの」との表現が指す要素のリストの中で具体的に特定された要素以外の要素が、それが具体的に特定された要素に関係していても関連していなくても、任意選択的に存在してもよいことを可能にする。このため、非限定的な例として、「Ａ及びＢの少なくとも１つ」（又は、等価的に「Ａ又はＢの少なくとも１つ」、又は、等価的に「Ａ及び／又はＢの少なくとも１つ」）なる表現は、ある実施形態においては、少なくとも１つの（オプションで２以上の）Ａであって、Ｂが存在しない（オプションで、Ｂ以外の要素を含む）こと、他の実施形態においては、少なくとも１つの（オプションで２以上の）Ｂであって、Ａが存在しない（オプションで、Ａ以外の要素を含む）こと、更に他の実施形態においては、少なくとも１つの（オプションで２以上の）Ａと、少なくとも１つの（オプションで２以上の）Ｂである（オプションで、他の要素を含む）こと、を表すことができる。
【００５７】
また、反対の意味で明確に示されなければ、２以上のステップ又は動作を含む請求項中の任意の方法において、方法のステップ又は動作の順序は、記載の方法のステップ又は動作の順序に必ずしも限定されない。
【００５８】
明細書と同様に、請求項中、「有する」、「含む」、「運ぶ」、「持つ」、「包含する」、「取り込む」、「保持する」、「構成される」などの移行句は、オープンエンドである、即ち、含むが、これに限定されないものとして理解されるべきである。米国特許庁ＭＰＥＰセクション２１１に記載されるように、「〜からなる」及び「実質的に〜からなる」という移行句のみが、それぞれ、クローズド又はセミクローズド移行句であるべきである。
【図１】
2016535625.tif 000003
【図２】
2016535625.tif 000004
【図３】
2016535625.tif 000005
【図４】
2016535625.tif 000006
【図５Ａ】
2016535625.tif 000007
【図５Ｂ】
2016535625.tif 000008
【図６Ａ】
2016535625.tif 000009
【図６Ｂ】
2016535625.tif 000010
【図７】
2016535625.tif 000011
【図８】
2016535625.tif 000012
【国際調査報告】
2016535625.tif 000013
2016535625.tif 000014
2016535625.tif 000015
2016535625.tif 000016